(57)【要約】【課題】比較的コンパクトに低コストで製作することができると共に、恰も万華鏡のように豪華に観賞することができる発光式装飾装置を提供する。【解決手段】本発光式装飾装置は、基台３上に立設された六角柱形の六角柱ケース１と、六角柱ケース１内に配設され発光する光ファイバー束８と、基台３内に設けられ、多光色の光を上方に向けて放射し、光ファイバー束８発光させる多光色光源４と、を備える。六角柱ケース１の６面の各側壁１ａがハーフミラー２で形成されている。【選択図】図２
2006179440.tif 000002
【特許請求の範囲】
【請求項１】
基台上に立設された六角柱形の六角柱ケースと、
該六角柱ケース内に配設され発光する発光装飾物と、
該基台内に設けられ、多光色の光を上方に向けて放射し、該発光装飾物を発光させる多光色光源と、
を備え、該六角柱ケースの６面の各側壁がハーフミラーで形成されていることを特徴とする発光式装飾装置。
【請求項２】
前記基台内には多光色光源として、透光性を有し回転する多光色回転円盤に光源からの光を透過させて多光色の光を放射する装置が配設されたことを特徴とする請求項１記載の発光式装飾装置。
【請求項３】
前記発光装飾物として、光ファイバーを束ねた光ファイバー束が前記六角柱ケース内に配設されたことを特徴とする請求項１記載の発光式装飾装置。
【請求項４】
前記基台内には多光色光源として、複数の光色の光を放射する発光ダイオード群が配設されることを特徴とする請求項１記載の発光式装飾装置。
【請求項５】
前記発光装飾物として、蛍光物質を含有し蓄光作用を有した蓄光体が前記六角柱ケース内に配設されたことを特徴とする請求項１記載の発光式装飾装置。
【発明の詳細な説明】
【技術分野】
【０００１】
本発明は、発光式装飾装置に関し、特に、ケースの内部でハーフミラーにより生じた発光装飾物の多数の虚像を観賞できるようにした発光式装飾装置に関する。
【背景技術】
【０００２】
従来、発光式装飾装置として、各種の色の光を放射する多光色光源を基台などの内部に配設し、その多光色光源から放射された光を、光ファイバー束内にその端部から入射させ、光ファイバー束の先端部から多光色の光を放射する装飾装置が、下記特許文献１などで提案されている。
【特許文献１】特開２００３-３１７５１６号公報
【発明の開示】
【発明が解決しようとする課題】
【０００３】
しかし、従来のこの種の発光式装飾装置は、基台上に配設した光ファイバー束の先端が多光色で発光するものの、単に光ファイバー束の先端のみが発光するものであるため、豪華な装飾装置とするためには、数多くの光源と光ファイバー束を、広がりをもって配設する必要があり、製造コストが増大すると共に、装飾装置自体の形状も大型化し、装飾装置の設置場所には広い設置スペースを必要とし、高価なものとなるなどの課題があった。
【０００４】
本発明は、上述の課題を解決するものであり、比較的コンパクトに低コストで製作することができると共に、恰も万華鏡のように豪華に観賞することができる発光式装飾装置を提供することを目的とする。
【課題を解決するための手段】
【０００５】
上記目的を達成する本発明の発光式装飾装置は、基台上に立設された六角柱形の六角柱ケースと、該六角柱ケース内に配設され発光する発光装飾物と、該基台内に設けられ、多光色の光を上方に向けて放射し、該発光装飾物を発光させる多光色光源と、を備え、該六角柱ケースの６面の各側壁がハーフミラーで形成されていることを特徴とする。
【０００６】
ここで、前記基台内には多光色光源として、透光性を有し回転する多光色回転円盤に光源からの光を透過させて多光色の光を放射する装置が配設され、前記発光装飾物として、光ファイバーを束ねた光ファイバー束が配設され、該多光色光源から放射した多光色の光を、前記六角柱ケース内に配設した光ファイバー束に放射または導光し、該光ファイバー束を発光させることができる。
【０００７】
また、前記基台内には多光色光源として、複数の光色の光を放射する発光ダイオード群が配設され、前記発光装飾物として、蛍光物質を含有し蓄光作用を有した蓄光体が前記六角柱ケース内に配設され、該多光色光源から放射した多光色の光を、該六角柱ケース内に配設した蓄光体に放射し、該蓄光体を発光させることができる。
【発明の効果】
【０００８】
上記構成の発光式装飾装置は、基台に設けた多光色光源を点灯させ、多光色光源から放射した多光色の光を、六角柱ケース内に配設した発光装飾物に放射または導光させ、発光装飾物を発光させる。
【０００９】
周囲の明るさを少し暗い状態として、六角柱ケースを見ると、六角柱ケースの６面の側壁全体がハーフミラーで構成されるため、何れの方向からケースを見ても、ケース内からハーフミラーを通して発光装飾物の光が外側に放射され、観賞者はケース内で輝く発光装飾物を見ることができる。また、ケース内の光は、対向する各側壁のハーフミラー間で、或いは隣接して相互に１２０度の傾斜角度で位置する各側壁のハーフミラーで、若しくは６０度の傾斜角度で対向する各側壁のハーフミラー間で反射し、それらの反射が繰り返される。これにより、ケース内の空間は扇形に奥深く広がったように見え、ケース中央に実物の発光装飾物が位置し、数多くの発光装飾物の虚像がその周囲に連続して広がるように視認される。
【００１０】
特に、鑑賞者が目の位置をケースに近づけ、ケースの壁面に対し少し左右にまたは上下に傾斜角度をもった視線で見ると、六角柱ケース内で発光装飾物から放射された光の一部がハーフミラーで内側に反射し、その反射光がさらに、１２０度または６０度の斜めの位置関係にある別のハーフミラーで反射され、その光が反射される毎に、発光装飾物の虚像の数が増し、そのような虚像がケースの側壁全体の奥行き方向に、扇形に奥深く連続して現れることとなる。
【００１１】
このように、六角柱ケース内で発生した発光装飾物のハーフミラーによる虚像は、六角柱ケースに目を近づけて内側を覗き込むように見ると、恰も万華鏡のように、数多くの発光装飾物の虚像がケース内の壁面（６面）に奥行き方向に連続して現われ、非常に美しく観賞することができる。また、特に反射する壁面が六角柱の６面から形成されるため、ケース内は扇形の広がりを見せ、直方体などの４面の壁面を持つケースに比べ、一層広がりのある空間と多くの発光装飾物の虚像を見せることができる。さらに、この発光式装飾装置は、コンパクトな形状であっても、ケースに目を近づけることにより豪華な発光装飾物の虚像を観賞することができるから、装飾装置としてはコンパクトに低コストで製作することができる。
【発明を実施するための最良の形態】
【００１２】
以下、本発明の一実施形態を図面に基づいて説明する。図１は発光式装飾装置の斜視図を示し、図２はその断面図を示している。この発光式装飾装置は、基台３上に立設された六角柱形の六角柱ケース１と、六角柱ケース１内に配設され発光する発光装飾物と、基台３内に設けられ多光色の光を上方に向けて放射する多光色光源とを備えて構成される。
【００１３】
六角柱ケース１はその６面の各側壁１ａがハーフミラー２で形成されている。ハーフミラー２は、透明板ガラスに半透過シートを貼着し、または半透過層を形成した半透過板により形成され、正面から入射する光の半分を正面側に反射し、半分を背面側に透過させる鏡である。六角柱ケース１は、ハーフミラー２の各側壁１ａの突合せ端部を、相互に透明接着剤により接着して、六角柱形の箱状に形成される。六角柱ケース１の天板１ｂは、透明板ガラスにより形成されるが、この天板１ｂもハーフミラーとすることができる。また、六角柱ケース１の底板は、図２に示すように、六角柱ケース１を基台３の上面に固定すれば、設けなくてもよく、或は底板としてハーフミラーを取り付けることもできる。
【００１４】
六角柱ケース１の底部に固定される基台３は、ここでは円筒型のケース状に形成され、ケース状の基台３内には、複数の色の光を上方に向けて放射する多光色光源４が配設される。多光色光源４は、基台３内の中央に上向きに配設された光源５と、透光性を有し複数の色彩部を円周方向に設けて回転軸の周りで回転する多光色回転円盤６と、多光色回転円盤６を回転駆動するモータ７と、を備えて構成される。多光色回転円盤６は、光源５の上方位置に、光源５の放射光に対し直交するように配設され、その回転軸はモータ７の回転軸に連結され、低速で回転駆動され、回転に伴い光源５からの放射光が透過する部分の色が変わることにより、上方に透過する放射光の光色が経時的に各種の色に変化する構造となっている。
【００１５】
図２に示すように、基台３の上面中央に開口穴３ａが形成され、その開口穴３ａの上部に、六角柱ケース１の側から発光装飾物としての光ファイバー束８が嵌着され、光ファイバー束８の光の入射面が開口穴３ａ内に形成されている。上記光源５の放射方向は、その開口穴３ａに向けられ、光源５と開口穴３ａの間に、多光色回転円盤６が配置される。これにより、光源５が点灯し、多光色回転円盤６がモータ７の駆動により回転すると、光源５の光が透過する多光色回転円盤６の透過部の色が経時的に変わって光色が変化し、その光が開口穴３ａ内の光ファイバー束８の入射面に入射し、光ファイバー束８の先端から経時的に複数の光色の光が放射され、その先端が美しく光る構造である。
【００１６】
このように構成された発光式装飾装置は、室内のテーブルなどの上に設置され、部屋の明かりを暗くした状態で、光源５を点灯して観賞する。装飾装置の光源５を点灯すると、モータ７の駆動により多光色回転円盤６が低速で回転し、光ファイバー束８にその下部の入射面から光が入射し、光ファイバー束８の先端から経時的に変化する複数色の光が放射され、その先端が発光する。
【００１７】
周囲の明るさが暗い状態にあるため、観賞者が六角柱ケース１を見ると、図３のように、六角柱ケース１の側壁１ａのハーフミラー２を通して、ケース１内で先端が複数色の光で発光する光ファイバー束８が輝いて見える。また、六角柱ケース１の側壁１ａの６面がハーフミラー２で形成され、ケース１内の光の一部が各ハーフミラー２の内側面で反射されるため、ケース１内の空間が、図３のように、全ての側壁１ａの背面側に向かって扇形に奥深く広がり、そこに数多くの光ファイバー束８の発光装飾物が連続して存在するように視認される。
【００１８】
特に、鑑賞者が目の位置を六角柱ケース１に近づけると共に、ケース１の側壁１ａに対し少し左右にまたは上下に傾斜角度をもった視線で見ると、六角柱ケース１内で発光装飾物の光ファイバー束８から放射された光の一部がハーフミラー２で内側に反射し、その反射光がさらに、１２０度または６０度の斜めの位置関係にある別のハーフミラー２で反射され、その光が反射される毎に、発光装飾物の虚像の数が増し、そのような虚像がケース１の側壁全体の奥行き方向に、扇形に奥深く連続して現れることとなる。
【００１９】
このように、六角柱ケース１内で発生した発光装飾物のハーフミラー２による虚像は、六角柱ケース１に目を近づいて内側を覗き込むように見ると、恰も万華鏡のように、数多くの発光装飾物の虚像がケース１内の各壁面の奥行き方向に連続して現われ、非常に美しく観賞することができる。また、特に反射する壁面が六角柱の６面から形成されるため、ケース１内は扇形の広がりを見せ、直方体などの４面の壁面を持つケースに比べ、一層広がりのある空間と多くの発光装飾物の虚像を、恰も万華鏡のように見せることができる。
【００２０】
なお、上記光ファイバー束８は、適当な長さの光ファイバーを単純に束ねただけのものであったが、ケース１内を海に見立てて、光ファイバーをサンゴ或いはサンゴ礁のように加工してケース内に配設することもできる。
【００２１】
図４，５は他の実施形態の発光式装飾装置を示している。この例の発光式装飾装置は、基台１３上に立設された六角柱形の六角柱ケース１１と、六角柱ケース１１内に配設され発光する発光装飾物としての蓄光体１８と、基台１３内に設けられ多光色の光を上方に向けて放射する多光色光源としての発光ダイオード群１４と、を備えて構成される。
【００２２】
六角柱ケース１１は、上記と同様に、その６面の各側壁１１ａがハーフミラー１２で形成されている。ハーフミラー１２は、透明板ガラスに半透過シートを貼着し、または半透過層を形成した半透過板により形成され、正面から入射する光の半分を正面側に反射し、半分を背面側に透過させる鏡である。六角柱ケース１１は、ハーフミラー１２の各側壁１１ａの突合せ端部を、相互に透明接着剤により接着して、六角柱形の箱状に形成される。六角柱ケース１１の天板１１ｂは、透明板ガラスにより形成されるが、この天板１１ｂもハーフミラーとすることができる。また、六角柱ケース１１の底板は、図４に示すように、透明板となっているが、底板を設けずに、六角柱ケース１１を基台１３の上面に直接固定することもできる。
【００２３】
六角柱ケース１１の底部に固定される基台１３は、ここでは円盤型に形成され、基台１３内には、複数の色の光を上方に向けて放射する多光色光源としての発光ダイオード群１４が、中央部に上向きに取り付けられている。発光ダイオード群１４は、赤色、青色、黄色など複数の色の光を放射する複数の発光ダイオードからなり、基台１３内の電池１５及び点灯回路１６に接続されている。点灯回路１６は、順に各種の色の発光ダイオードを点灯するように制御し、発光ダイオード群１４は経時的に光色を変えながら点灯制御され、経時的に変化する複数の光色の光が六角柱ケース１１内に下方から上方を向けて放射される。
【００２４】
さらに、六角柱ケース１１内の基台１３上の中央部近傍には、蓄光体１８が発光ダイオード群１４の真上に位置するように載置されている。蓄光体１８は、蛍光物質を含有して例えば岩状に成形された略透明な合成樹脂製の物体であり、光を受けると、その内部の蛍光物質が発光し、その発光がある程度の時間継続するものである。また、この蓄光体１８には、蛍光物質の種類を変えて複数の光色を発光する複数のものが用意され、赤色、青色、黄色など複数の光色の光で発光する。
【００２５】
このように構成された発光式装飾装置は、上記と同様に、室内のテーブルなどの上に設置され、部屋の光を暗くした状態で、発光ダイオード群１４を点灯して観賞する。装飾装置の発光ダイオード群１４を点灯すると、発光ダイオード群１４から上方の蓄光体１８に向けて光が放射され、その放射光を受けた蓄光体１８は、そこに含まれる蛍光物質が発光し、輝くこととなる。また、透光性を有する蓄光体１８は、下方から放射される発光ダイオードの光を透過させ、蛍光物質の発光と共に、さらに美しく輝いた状態となる。そのときの蓄光体１８の光色は、発光ダイオード群１４の発光色の変化と共に、各種の色に経時的に変化する。
【００２６】
観賞者が六角柱ケース１を見ると、上記と同様に、図５の如く、六角柱ケース１１の側壁１１ａのハーフミラー１２を通して、ケース１１内で複数色の光で発光する蓄光体１８が輝いて見える。また、六角柱ケース１１の側壁１１ａの６面がハーフミラー１２で形成され、ケース１１内の光の一部が各ハーフミラー１２の内側面で反射されるため、ケース１１内の空間が、図５のように、全ての側壁１１ａの背面側に向かって扇形に奥深く広がり、そこに数多くの蓄光体１８の発光装飾物が連続して存在するように視認される。
【００２７】
また、上記と同様に、鑑賞者が目の位置を六角柱ケース１１に近づけると共に、ケース１１の側壁１１ａに対し少し左右にまたは上下に傾斜角度をもった視線で見ると、六角柱ケース１１内で発光装飾物の蓄光体１８から放射された光の一部がハーフミラー１２で内側に反射し、その反射光がさらに、１２０度または６０度の斜めの位置関係にある別のハーフミラー１２で反射される。そして、その光が反射される毎に、発光装飾物の虚像の数が増し、そのような虚像がケース１１の側壁全体の奥行き方向に、扇形に奥深く連続して現れるから、観賞者は恰も万華鏡のように広がって連続する発光装飾物を観賞することができる。
【００２８】
なお、上記では、蓄光体１８を岩のような形状としたが、ケース１１内を海にみたてて、蓄光体を海中の生物の形に形成してケース１１内に置くこともできる。また、多光色光源としては上記発光ダイオード群に代えて、ブラックライト（紫外線ランプ）を使用することもでき、この場合は、紫外線を受けて発光する蓄光体を使用することになる。
【図面の簡単な説明】
【００２９】
【図１】本発明の一実施形態を示す発光式装飾装置の斜視図である。
【図２】同発光式装飾装置の断面図である。
【図３】使用状態を示す斜視図である。
【図４】他の実施形態を示す発光式装飾装置の断面図である。
【図５】他の実施形態の使用状態を示す斜視図である。
【符号の説明】
【００３０】
１−六角柱ケース
１ａ−側壁
２−ハーフミラー
３−基台
４−多光色光源
５−光源
６−多光色回転円盤
８−光ファイバー束
【図１】
2006179440.tif 000003
【図２】
2006179440.tif 000004
【図３】
2006179440.tif 000005
【図４】
2006179440.tif 000006
【図５】
2006179440.tif 000007